(57)【特許請求の範囲】
【請求項１】
扁平な断面形状を有するコア、
前記コアの周囲に形成される扁平な断面形状を有する低圧巻線用ボビンと高圧巻線用ボビン、
前記低圧巻線用ボビンに巻回される低圧巻線、および
前記高圧巻線用ボビンに積層巻される高圧巻線を含む、フライバックトランス。
【請求項２】
前記コア、前記低圧巻線用ボビンおよび前記高圧巻線用ボビンは、扁平な断面形状の幅方向の両側が直線状に形成され、扁平な断面形状の長手方向の両側が曲線状に形成された、請求項１に記載のフライバックトランス。
【請求項３】
前記コア、前記低圧巻線用ボビンおよび前記高圧巻線用ボビンは楕円形の断面形状を有する、請求項１に記載のフライバックトランス。
【請求項４】
積層巻された前記高圧巻線の各層の巻線間にダイオードが接続され、前記ダイオードが前記扁平な断面形状の長手方向の一方側に配置される、請求項１ないし請求項３のいずれかに記載のフライバックトランス。
【請求項５】
前記高圧巻線の出力側に接続される高圧コンデンサを含み、前記高圧コンデンサが前記扁平な断面形状の長手方向の一方側または他方側に配置される、請求項１ないし請求項４のいずれかに記載のフライバックトランス。
【請求項６】
前記高圧巻線の出力側に接続される高圧抵抗基板を含み、前記高圧抵抗基板が前記扁平な断面形状の長手方向の一方側または他方側に配置される、請求項１ないし請求項５のいずれかに記載のフライバックトランス。
【発明の詳細な説明】
【０００１】
【発明の属する技術分野】
この発明は、フライバックトランスに関し、特に、たとえばＣＲＴやその他のディスプレイ装置、および５ｋＶ程度以上の高電圧を必要とする機器に高電圧を供給するためのフライバックトランスに関する。
【０００２】
【従来の技術】
図１０および図１１は、従来のフライバックトランスに用いられる巻線部の一例を示す図解図である。巻線部１は、円筒状の低圧巻線用ボビン２と高圧巻線用ボビン３とを含む。低圧巻線用ボビン２には、低圧巻線４が巻回され、高圧巻線用ボビン３には、高圧巻線５が巻回される。高圧巻線５はたとえば積層巻とされ、各層の巻線間にはダイオード６が接続される。低圧巻線用ボビン２の内側には、コアが挿通されて閉磁路が形成される。低圧巻線用ボビン２の内側におけるコアの形状は、低圧巻線用ボビン２に対応した円柱状に形成される。このような巻線部は、ケース内に収納される。さらに、ケース内には、高圧巻線５の出力側に接続される高圧コンデンサや高圧抵抗基板などが収納される。
【０００３】
【発明が解決しようとする課題】
近年、機器の小型化、薄型化が要求されてきており、フライバックトランスにおいても同様の要求があり、特に低背化したフライバックトランスが求められている。しかしながら、従来のフライバックトランスでは、このような市場の要求に応えることができない。
【０００４】
それゆえに、この発明の主たる目的は、低背化されたフライバックトランスを提供することである。
【０００５】
【課題を解決するための手段】
この発明は、扁平な断面形状を有するコアと、コアの周囲に形成される扁平な断面形状を有する低圧巻線用ボビンと高圧巻線用ボビンと、低圧巻線用ボビンに巻回される低圧巻線と、高圧巻線用ボビンに積層巻される高圧巻線とを含む、フライバックトランスである。
このようなフライバックトランスにおいて、コア、低圧巻線用ボビンおよび高圧巻線用ボビンは、扁平な断面形状の幅方向の両側を直線状に形成し、扁平な断面形状の長手方向の両側を曲線状に形成することができる。
また、コア、低圧巻線用ボビンおよび高圧巻線用ボビンを楕円形の断面形状を有するように形成してもよい。
さらに、積層巻された高圧巻線の各層の巻線間にダイオードが接続される場合、ダイオードが扁平な断面形状の長手方向の一方側に配置される。
また、高圧巻線の出力側に接続される高圧コンデンサを含む場合、高圧コンデンサが扁平な断面形状の長手方向の一方側または他方側に配置される。
さらに、高圧巻線の出力側に接続される高圧抵抗基板を含む場合、高圧抵抗基板が扁平な断面形状の長手方向の一方側または他方側に配置される。
【０００６】
コア、低圧巻線用ボビンおよび高圧巻線用ボビンの断面形状を扁平な形状とすることにより、円形のものに比べて、扁平形状の幅方向の長さを短くすることができる。そのため、この扁平形状の幅方向について、低背化されたフライバックトランスを得ることができる。
このとき、扁平形状としては、幅方向の両側を直線状に形成し、長手方向の両側を曲線状に形成することができる。
また、扁平形状としては、楕円形を採用してもよい。
さらに、積層巻される高圧巻線の各層の巻線間に接続されるダイオードは、ボビンやコアの扁平形状の長手方向の一方側に配置されることにより、扁平形状の幅方向を長くすることなく、ダイオードを配置することができる。
また、高圧コンデンサや高圧抵抗基板を巻線部と同一のケース内に収納する場合、これらの高圧コンデンサや高圧抵抗基板をボビンやコアの扁平形状の長手方向の一方側または他方側に配置することにより、扁平形状の幅方向を長くすることなく、これらの部品を配置することができる。
【０００７】
この発明の上述の目的，その他の目的，特徴および利点は、図面を参照して行う以下の発明の実施の形態の詳細な説明から一層明らかとなろう。
【０００８】
【発明の実施の形態】
図１はこの発明のフライバックトランスの一例を示す図解図であり、図２は別の方向からみた図解図である。このフライバックトランスは、たとえば図３に示すように、ＣＲＴなどに高電圧を供給するための高圧電源回路を構成する部品などとして用いられる。フライバックトランス１０は、巻線部１１を含む。巻線部１１は、低圧巻線用ボビン１２と高圧巻線用ボビン１４とを含む。低圧巻線用ボビン１２と高圧巻線用ボビン１４とを別々に準備し、同軸上に配置することは、結合を上げ、絶縁を確実にするために、高圧トランスにあっては必須のものである。低圧巻線用ボビン１２は、図４に示すように、扁平な断面形状を有する筒状部１６を含む。筒状部１６の外周面には、複数の鍔部１８が形成される。これらの鍔部１８の間に、図５に示すように、低圧巻線２０が巻回される。さらに、低圧巻線用ボビン１２の一端側には、ベース部２２が形成される。
【０００９】
ベース部２２には、筒状部１６の軸方向と直交する向きに、複数の端子２４が形成される。これらの端子２４は、筒状部１６の扁平形状の幅方向に延びるように形成される。そして、これらの端子２４が、低圧巻線２０に接続される。さらに、ベース部２２には、筒状部１６の扁平な貫通孔を囲むようにして、鍔状のガイド部２６が形成される。ガイド部２６は、筒状部１６の扁平形状の長手方向の片方が開口するようなＵ字状に形成される。このガイド部２６内に、後述のコアが納められる。
【００１０】
また、高圧巻線用ボビン１４は、扁平な断面形状を有する筒状部２８を含む。筒状部２８は、低圧巻線２０を巻回した低圧巻線用ボビン１２の外側に被さる大きさに形成される。筒状部２８の長手方向の両端側には、筒状部２８の軸方向と直交する向きに、複数の端子３０が形成される。これらの端子３０は、筒状部２８の扁平形状の長手方向に延びるように形成される。これらの端子３０には、積層巻される各層の高圧巻線３２が接続される。そして、高圧巻線用ボビン１４の両端側の端子３０間に、ダイオード３４が接続される。
【００１１】
積層巻は、図６に示すように、絶縁フィルム３６の間に１層の高圧巻線３２が整列密巻線となるように巻回された構造であり、各層の高圧巻線３２の間および高圧巻線３２の両端にダイオード３４が接続される。したがって、図７に示すように、各層においては、ダイオード３４を介して、同じ向きに巻線が巻回される。なお、接地側のダイオード３４はなくてもよい。
【００１２】
このようなダイオード３４を介した積層巻とすることにより、各層の対応する位置における高圧巻線３２は、ほぼ同じ電位となる。そのため、絶縁フィルム３６としては、極めて薄いものを使用することができる。しかも、各層の対応位置の電位がほぼ同じであるため、層間の分布容量を小さくすることができ、高圧トランスとして、より高周波の分野まで対応可能となる。さらに、積層巻とすることにより、高圧巻線用ボビン１４には、巻線間の沿面距離を確保するための鍔部を形成する必要がなく、高圧巻線３２全体を薄くすることができる。なお、図６では、高圧巻線３２の構造を示すため、ボビン１２，１４は省略してある。
【００１３】
さらに、低圧巻線用ボビン１２には、磁性体で形成されたコ字状のコア３８ａ，３８ｂが挿入される。これらのコア３８ａ，３８ｂは、低圧巻線用ボビン１２の両側から挿入され、中央部で突き合わされる。コア３８ａ，３８ｂの低圧巻線用ボビン１２に挿入される部分は、低圧巻線用ボビン１２の形状に対応させて、扁平な断面形状となるように形成される。低圧巻線用ボビン１２、高圧巻線用ボビン１４およびコア３８ａ，３８ｂの挿入部分の断面形状は、図５に示すように、幅方向の両端部分が直線状に形成され、長手方向の両端部分が曲線状に形成された形状とすることができる。また、図８に示すように、楕円形とすることもできる。
【００１４】
低圧巻線２０および高圧巻線３２は、ケース４０内に収納される。ケース４０には、図９に示すように、対向面にコア３８ａ，３８ｂを通すための開口部４２ａ，４２ｂが形成された巻線収納部４４が形成される。また、隔壁４６を介して、巻線収納部４４に隣接するように、電子部品収納部４８が形成される。電子部品収納部４８には、高圧コンデンサ５０および高圧抵抗基板５２が収納される。さらに、電子部品収納部４８には、外部回路との接続用として、複数の接続端子５４が形成される。
【００１５】
ケース４０の巻線収納部４４内には、低圧巻線用ボビン１２、高圧巻線用ボビン１４およびコア３８ａ，３８ｂが、その扁平形状の長手方向が電子部品収納部４８側に向かうように配置される。したがって、巻線部１１の部材の扁平形状の長手方向に、ダイオード３４、高圧コンデンサ５０および高圧抵抗基板５２が配置される。そして、ケース４０は、図９における上側を下にして、基板（図示せず）に実装される。
【００１６】
このフライバックトランス１０では、低圧巻線用ボビン１２、高圧巻線用ボビン１４およびコア３８ａ，３８ｂのボビンへの挿入部分が扁平形状となるように形成されるが、この扁平形状の面積は、従来の真円形状で設計されたものとほぼ同じ面積となるように形成される。このような大きさとすることにより、従来の真円形状のコアおよび巻線を有するフライバックトランスと同等の特性を得ることができる。
【００１７】
このフライバックトランス１０では、巻線部１１やコア３８ａ，３８ｂの断面形状を扁平形状とすることにより、幅方向の厚みを小さくすることができる。そのため、ケース４０の厚みも薄くすることができ、全体として薄型化を図ることができる。また、このフライバックトランス１０では、高圧巻線３２が積層巻され、各層の巻線間にダイオード３４が接続されているため、高圧巻線３２を薄くすることができ、さらに全体の薄型化を図ることができる。
【００１８】
また、このフライバックトランス１０では、ダイオード３４、高圧コンデンサ５０および高圧抵抗基板５２をコア３８ａ，３８ｂや巻線部１１の扁平形状の長手方向に配置されているため、これらの電子部品による厚みの増加を防ぐことができる。なお、図１および図２では、ダイオード３４、高圧コンデンサ５０および高圧抵抗基板５２が、巻線部１１に対して同じ側に配置されているが、巻線部１１の扁平形状の長手方向であれば、両側に分かれて配置されていてもよい。
【００１９】
【発明の効果】
この発明によれば、低圧巻線用ボビン、高圧巻線用ボビンおよびコアの断面形状を扁平形状とすることにより、フライバックトランスの低背化を図ることができる。このとき、高圧巻線を積層巻とし、各層間の高圧巻線間にダイオードを接続することにより、高圧巻線全体の厚みを薄くすることができる。さらに、ダイオード、高圧コンデンサ、高圧抵抗基板などを、ボビンやコアの扁平形状の長手方向に配置することにより、これらの電子部品による厚みの増加を防ぐことができる。したがって、この発明のフライバックトランスは、従来の真円形状の断面を有する巻線部を有するものに比べて、同等の特性を有し、しかも低背化を図ることができる。
【図面の簡単な説明】
【図１】この発明のフライバックトランスの一例を示す図解図である。
【図２】図１に示すフライバックトランスを別の方向からみた図解図である。
【図３】フライバックトランスを用いた高圧電源回路の一例を示す回路図である。
【図４】図１および図２に示すフライバックトランスに用いられる巻線部とコアとを示す分解斜視図である。
【図５】巻線部の一例を示す平面図解図である。
【図６】巻線部に用いられる高圧巻線の積層巻を説明するための図解図である。
【図７】図６に示す高圧巻線の等価回路図である。
【図８】巻線部の他の例を示す平面図解図である。
【図９】この発明のフライバックトランスに用いられるケースの一例を示す斜視図である。
【図１０】従来のフライバックトランスに用いられている巻線部の一例を示す図解図である。
【図１１】図１０に示す従来の巻線部を他の方向からみた図解図である。
【符号の説明】
１０  フライバックトランス
１１  巻線部
１２  低圧巻線用ボビン
１４  高圧巻線用ボビン
１６  筒状部
２０  低圧巻線
２８  筒状部
３２  高圧巻線
３４  ダイオード
３８ａ，３８ｂ  コア
４０  ケース
５０  高圧コンデンサ
５２  高圧抵抗基板
【図１】
0003743320.tif 000002
【図２】
0003743320.tif 000003
【図３】
0003743320.tif 000004
【図４】
0003743320.tif 000005
【図５】
0003743320.tif 000006
【図６】
0003743320.tif 000007
【図７】
0003743320.tif 000008
【図８】
0003743320.tif 000009
【図９】
0003743320.tif 000010
【図１０】
0003743320.tif 000011
【図１１】
0003743320.tif 000012